(57)【要約】【課題】  昇降するバケットの開口部から焼却炉等の開口部に確実にごみ等を投入することができるようにする。【解決手段】  地面上に設置されたごみ等を焼却する焼却炉の上部にごみ等の投入用の開口部３が形成されたものにおいて、前記地面から開口部３に達するようにレール部材が配設され、前記レール部材に沿って昇降可能なバケット２０が配置され、バケット２０にごみ等の排出用の背面開口部２３が形成され、背面開口部２３の下端部２３ａに横軸２４ａが設けられ、横軸２４ａの周りに回動可能にごみ等の板状のガイド部材２４が設けられ、背面開口部２３が開口部３の位置より低い位置にあるときに、背面開口部２３を塞ぐ遮蔽部材１４が前記レール部材に沿って配置されている。バケット２０が上昇し、背面開口部２３の位置が開口部３の位置に達したときに、ガイド部材２４が回動して開口部３内に倒れ込む。【選択図】    図６
2005077033.tif 000002
【特許請求の範囲】
【請求項１】
地面上等に設置されたごみ等を焼却する焼却炉等であって、焼却炉等の上部に形成されたごみ等の投入用の開口部へのごみ等の投入装置において、
前記地面等の前記開口部より低い位置から前記開口部に達するようにレール部材が配設され、
前記レール部材に沿って昇降可能でごみ等を収容可能なバケットが配置され、
前記バケットを昇降させる昇降手段が配置され、
前記バケットにごみ等の排出用の開口部が形成され、
前記バケットのごみ等の排出用の開口部の下端部に横軸が設けられ、
この横軸の周りに回動可能にごみ等のガイド部材が設けられ、
前記バケットのごみ等の排出用の開口部が前記焼却炉等のごみ等の投入用の開口部の位置より低い位置にあるときに、前記バケットのごみ等の排出用の開口部を塞ぐ遮蔽部材が前記レール部材に沿って配置され、
前記バケットが上昇し、前記バケットのごみ等の排出用の開口部の位置が前記焼却炉等のごみ等の投入用の開口部の位置に達したときに、前記ガイド部材が回動して前記焼却炉等のごみ等の投入用の開口部内に倒れ込むことを特徴とするごみ等の投入装置。
【請求項２】
請求項１に記載したごみ等の投入装置であって、
前記ガイド部材が板状であることを特徴とするごみ等の投入装置。
【発明の詳細な説明】
【技術分野】
【０００１】
本発明は、地面上に設置されたごみ等を焼却する焼却炉等の上部に形成されたごみ等の投入用の開口部へのごみ等の投入装置に関し、特にごみ等を確実に前記開口部に投入することができるごみ等の投入装置に関するものである。
【背景技術】
【０００２】
地面上に設置されたごみ等を焼却する焼却炉等の上部にごみ等の投入用の開口部が形成されたものへのごみ等の投入装置に関しては、地面から前記開口部に立掛けたように配置されたレール部材と、前記レール部材に沿って昇降可能でごみ等を収容可能なバケットと、前記バケットを昇降させるチェーンブロックとが配置され、前記バケットが地面の近傍にあるときに前記バケットにごみ等を収容し、その後、前記チェーンブロックで引っ張って前記バケットを前記焼却炉等の開口部の位置まで引き上げて、前記バケットの開口部からごみ等を前記焼却炉等の開口部に投入するものがある（例えば特許文献１）。
【特許文献１】特開平８−２３３２３９号公報
【発明の開示】
【発明が解決しようとする課題】
【０００３】
しかし、上記従来例では、バケットの開口部の位置が焼却機等の開口部の位置に達した場合においても、両方の開口部の間に隙間が発生する場合があるので、この隙間からごみ等が落下して焼却炉等の開口部に入らない場合があった。
そこで、本発明が解決しようとする課題は、上記の場合において、バケットの開口部から焼却炉等の開口部に確実にごみ等を投入することができるようにすることである。
【課題を解決するための手段】
【０００４】
上記課題を解決するため、請求項１記載の発明は、地面上等に設置されたごみ等を焼却する焼却炉等であって、焼却炉等の上部に形成されたごみ等の投入用の開口部へのごみ等の投入装置において、前記地面等の前記開口部より低い位置から前記開口部に達するようにレール部材が配設され、前記レール部材に沿って昇降可能でごみ等を収容可能なバケットが配置され、前記バケットを昇降させる昇降手段が配置され、前記バケットにごみ等の排出用の開口部が形成され、前記バケットのごみ等の排出用の開口部の下端部に横軸が設けられ、この横軸の周りに回動可能にごみ等のガイド部材が設けられ、前記バケットのごみ等の排出用の開口部が前記焼却炉等のごみ等の投入用の開口部の位置より低い位置にあるときに、前記バケットのごみ等の排出用の開口部を塞ぐ遮蔽部材が前記レール部材に沿って配置され、前記バケットが上昇し、前記バケットのごみ等の排出用の開口部の位置が前記焼却炉等のごみ等の投入用の開口部の位置に達したときに、前記ガイド部材が回動して前記焼却炉等のごみ等の投入用の開口部内に倒れ込むことを特徴とするごみ等の投入装置である。
これにより、地面上等に設置されたごみ等を焼却する焼却炉等の上部に形成されたごみ等の投入用の開口部にごみ等を投入する投入装置にて、レール部材が前記地面等の前記開口部より低い位置から前記開口部に達するように配設され、ごみ等を収容可能なバケットが前記レール部材に沿って昇降可能であり、昇降手段が前記バケットを昇降させる。また、前記バケットに形成されたごみ等の排出用の開口部の下端部に横軸が設けられ、この横軸の周りに回動可能にごみ等のガイド部材が設けられている。
そして、前記バケットのごみ等の排出用の開口部が前記焼却炉等のごみ等の投入用の開口部の位置より低い位置にあるときに、前記レール部材に沿って配置された遮蔽部材が前記バケットのごみ等の排出用の開口部を塞ぎ、前記バケットが上昇し、前記バケットのごみ等の排出用の開口部の位置が前記焼却炉等のごみ等の投入用の開口部の位置に達したときに、前記ガイド部材が回動して前記焼却炉等のごみ等の投入用の開口部内に倒れ込む。
このため、バケット内のごみ等が前記焼却炉等の開口部内に倒れ込んだガイド部材上を通過することにより、確実に前記焼却炉等の中に投入される。
【０００５】
さらに、請求項２記載の発明は、請求項１記載の発明において、前記ガイド部材が板状であることである。
これにより、板状のガイド部材がバケットのごみ等の排出用の開口部の下端部と焼却炉等のごみ等の投入用の開口部を連結するので、バケット内のごみ等を焼却炉等内に投入することが容易になる。
【発明の効果】
【０００６】
請求項１記載の発明によれば、昇降するバケット内のごみ等が確実に前記焼却炉等の上部の開口部から前記焼却炉等の中に投入される。
さらに、請求項２記載の発明は、上記請求項１に記載された発明の効果とともに、バケット内のごみ等が確実に前記焼却炉等の中に投入される。
【発明を実施するための最良の形態】
【０００７】
以下、図面を参照して本発明を実施するための最良の形態を説明する。図１は、本発明の実施の形態に係るごみ等の投入装置を設置したごみ等の焼却機の左側面を示し、図２は図１のごみ等の焼却機の正面を示し、図３は図１のごみ等の焼却機の平面を示し、図４は図２のごみ等の焼却機のＢ−Ｂ断面を示し、図５は図２のごみ等の投入装置のバケットのＢ−Ｂ断面を拡大して示し、図６は図１の二点鎖線で示す位置でのバケットの図５と同様の断面を示し、図７は図１のＡ方向から見たごみ等の焼却機の開口部の蓋部材を拡大して示し、図８は図７のＣ―Ｃ断面を示す。
【０００８】
図１に示すように、地面１上にごみ等を焼却する焼却炉２が設置されている。図４に示すように、焼却炉２の上部にごみ等の投入用の開口部３が形成されている。さらに、焼却炉２に送風機４および煙突５（図２参照）が設けられている。
【０００９】
図１に示すように、焼却炉２の開口部３にごみ等を投入する投入装置１０は、一対のレール部材１１ａ、１１ｂ（図２参照）、レール部材１１ａ、１１ｂに沿って昇降するバケット２０およびバケット２０を昇降させるチェーンブロック３０（特許請求の範囲における「昇降手段」の一例である。）を主体にして構成されている。
【００１０】
一対のレール部材１１ａ、１１ｂは地面１から開口部３（図４参照）に立掛けた状態になるように焼却炉２に取付けられ、一対のレール部材１１ａ、１１ｂの上端部に支持部１３が設けられている。チェーンブロック３０は、その上端部３１が上記支持部１３に吊り下げられ、その下端部３２がバケット２０の上端部２１に連結されている。
【００１１】
図１に示すように、バケット２０は前面および左右の側壁２２で囲われ、図５に示すように、バケット２０の背面に背面開口部２３が形成されている。この背面開口部２３の下端部２３ａ（バケット２０の内部の最も低い位置にある。）の外側（下側）にて横軸２４ａが側壁２２に付設され、この横軸２４ａの周りに回動可能にごみ等のガイド部材２４が設けられている。このガイド部材２４は例えば板状である。
バケット２０の上面に上面開口部２５が設けられ、この上面開口部２５を開閉する上面蓋２６が設けられている。
図２に示すように、バケット２０の左端部に付設された２つの摺動部材２８はレール部材１１ａに沿って摺動可能であり、バケット２０の右端部に付設された２つの摺動部材２９はレール部材１１ｂに沿って摺動可能である。
【００１２】
図１に示すように、バケット２０が開口部３の位置より低い位置にあるときに、図５に示すように、バケット２０の背面開口部２３を塞ぐ遮蔽部材１４（図２参照）が一対のレール部材１１ａ、１１ｂの間に配置されている。バケット２０が開口部３の位置より低い位置にあるときには、ガイド部材２４の先端部分２４ｂは、バケット２０の背面開口部２３側に位置し、遮蔽部材１４に当接し、遮蔽部材１４（図２参照）に対し摺動可能である。また、この状態において、ガイド部材２４はバケット２０の背面開口部２３の下端部２３ａと遮蔽部材１４との間を塞いでいるので、バケット２０からごみ等がこぼれ落ちることは防がれている。
【００１３】
図２に示すように、焼却炉２の開口部３を開閉する蓋部材４０が配置されている。図７に示すように、蓋部材４０の図示左端部には２つの摺動部材４１がレール部材１１ａに摺動するように配設され、蓋部材４０の図示右端部には２つの摺動部材４２がレール部材１１ｂに摺動するように配設されている。蓋部材４０は図示しないストッパにより、図２の状態から下方向に下降しないように構成されている。図８に示すように、摺動部材４１にはローラ４１ａ、４１ｂがレール部材１１ａを挟んで回動可能に配設されている。また、摺動部材４２にはローラ４２ａ、４２ｂがレール部材１１ｂを挟んで回動可能に配設されている。さらに、図７に示すように、蓋部材４０の図示左端部には２つのローラ４３がレール部材１１ａに接して回動可能に配設され、蓋部材４０の図示右端部には２つのローラ４４がレール部材１１ｂに接して回動可能に配設されている。このため、蓋部材４０がレール部材１１ａ、１１ｂに沿って円滑に昇降して、焼却炉２の開口部３を開閉することができる。
【００１４】
また、図２に示すように、蓋部材４０とバケット２０の上面蓋２６との間を連結するチェーン２７ａ、２７ｂが設けられている。このため、バケット２０が地面１に近い位置にあるときは、上面蓋２６がチェーン２７ａ、２７ｂに引っ張られて開いているので、バケット２０の上面開口部２５からごみ等をバケット２０に入れることができる。そして、バケット２０が上昇して、蓋部材４０を押し上げて、図６に示すように、バケット２０の背面開口部２３の位置が焼却炉２の開口部３の位置と一致したときには、蓋部材４０とバケット２０との距離が短くなるので、チェーン２７ａ、２７ｂ（図２参照）に弛みが生じて、バケット２０の上面蓋２６が上面開口部２５を自動的に閉じる。このため、焼却炉２の開口部３はバケット２０により自動的に閉じられることになる。
【００１５】
上記構成のごみ等の投入装置は以下の動作をする。
地面１上に設置されたごみ等を焼却する焼却炉２の上部に形成されたごみ等の投入用の開口部３にごみ等を投入する投入装置１０にて、チェーンブロック３０がバケット２０をレール部材１１ａ、１１ｂに沿って昇降させる。
そして、バケット２０の背面開口部２３が焼却炉２の開口部３の位置より低い位置にあるときに、バケット２０の上面開口部２５からバケット２０にごみ等を投入し、チェーンブロック３０がバケット２０を引き上げて、バケット２０の背面開口部２３の位置が焼却炉２の開口部３の位置に達したときに、ガイド部材２４が回動して焼却炉２の開口部３内に倒れ込み、背面開口部２３と開口部３を橋渡しする。このとき、横軸２４ａがバケット２０の側壁２２の下側に設けられているので、ガイド部材２４は背面開口部２３より低い位置にある。このため、バケット２０内のごみ等が焼却炉２の開口部３内に倒れ込んだガイド部材２４上を通過することにより、確実に焼却炉２の中に投入される。
さらに、ガイド部材２４が板状のときは、この板状のガイド部材２４がバケット２０の背面開口部２３の下端部２３ａと焼却炉２の開口部３を橋渡しするので、バケット２０内のごみ等を焼却炉２内に投入することが容易になる。
【００１６】
なお、上記実施例では、レール部材１１ａ、１１ｂは地面１上に配置されているが、これに限らず、開口部３より低い任意の位置から開口部３に達するように配置してもよい。
また、投入装置１０は、焼却炉２の開口部３にごみ等を投入するものであるが、これに限らず、ごみ等を収容する建物、車両等の開口部にごみ等を投入するものであってもよい。
【産業上の利用可能性】
【００１７】
本発明は、ごみ等を集積したり焼却したりする産業において有用である。
【図面の簡単な説明】
【００１８】
【図１】本発明の実施の形態に係るごみ等の投入装置を設置したごみ等の焼却機の左側面図である。
【図２】図１に示すごみ等の焼却機の正面図である。
【図３】図１に示すごみ等の焼却機の平面図である。
【図４】図２に示すごみ等の焼却機のＢ−Ｂ断面を示す断面図である。
【図５】図２に示すごみ等の投入装置のバケットのＢ−Ｂ断面を拡大して示す断面図である。
【図６】図１の二転鎖線で示す位置でのバケットの図５と同様の断面を示す断面図である。
【図７】図１に示すごみ等の焼却機の開口部の蓋部材を拡大して示す部分図である。
【図８】図７のＣ―Ｃ断面を示す断面図である。
【符号の説明】
【００１９】
１  地面
２  焼却炉
３  開口部
１０  投入装置
１１ａ、１１ｂ  レール部材
１４  遮蔽部材
２０  バケット
２３  背面開口部（ごみ等の排出用の開口部）
２３ａ  下端部
２４  ガイド部材
２４ａ  横軸
３０  チェーンブロック（昇降手段）
【図１】
2005077033.tif 000003
【図２】
2005077033.tif 000004
【図３】
2005077033.tif 000005
【図４】
2005077033.tif 000006
【図５】
2005077033.tif 000007
【図６】
2005077033.tif 000008
【図７】
2005077033.tif 000009
【図８】
2005077033.tif 000010